(57)【要約】  【課題】  照射方向に指向性を有し、その照射方向の調整を容易に行うことのできるＬＥＤ照明電球を提供する。  【解決手段】  基板(２)に複数の発光ダイオード(１)を並べて配置し、この発光ダイオード(１)を配置した基板(２)を一般的な電球用口金(４)を有するハウジング(３)内に配置したＬＥＤ照明電球であって、ハウジング(３)を電球用口金(４)が装着されているボディ部(５)と、このボティ部(５)に揺動回転可能に装着されているリング部(６)と、リング部(６)と一体になって揺動回転する透光性キャップ部(７)とで構成し、複数の発光ダイオード(１)を配置している基板(２)を前記リング部(６)に固定支持することにより、基板(２)をボディ部(５)に対して相対回転揺動可能に構成し、前記基板(２)に複数の発光ダイオード(１)を照射光量が多い方向と照射光量が少ない方向とが混在する状態に配設することによりＬＥＤ照明電球として照射方向性を持たせるように構成した。【選択図】    図１
2006310207.tif 000002
【特許請求の範囲】
【請求項１】
基板(２)に複数の発光ダイオード(１)を並べて配置し、この発光ダイオード(１)を配置した基板(２)を一般的な電球用口金(４)を有するハウジング(３)内に配置したＬＥＤ照明電球であって、
ハウジング(３)を電球用口金(４)が装着されているボディ部(５)と、このボティ部(５)に揺動回転可能に装着されているリング部(６)と、リング部(６)と一体になって揺動回転する透光性キャップ部(７)とで構成し、複数の発光ダイオード(１)を配置している基板(２)を前記リング部(６)に固定支持することにより、基板(２)をボディ部(５)に対して相対回転揺動可能に構成し、前記基板(２)に複数の発光ダイオード(１)を照射光量が多い方向と照射光量が少ない方向とが混在する状態に配設することによりＬＥＤ照明電球として照射方向性を持たせるように構成してあることを特徴とするＬＥＤ照明電球。
【請求項２】
電球の中心軸を通り該中心軸と平行な仮想平面で区切られた一方の面を表側とした際に、裏側での照射光量に対して表側への照射光量を大量とした請求項１に記載のＬＥＤ照明電球。
【請求項３】
電球の中心軸を通り該中心軸と直交する仮想平面に形成した仮想正方形の各辺と直交する方向への照射光量を仮想正方形の対角方向への照射光量に対してた入用とした請求項１に記載のＬＥＤ照明電球。
【発明の詳細な説明】
【技術分野】
【０００１】
本発明は、内部に複数個の発光ダイオード(ＬＥＤ)を配設したＬＥＤ照明電球に関する。
【背景技術】
【０００２】
発光ダイオードを利用した照明電球は、同等の光量を得るための消費電力が少なく、発熱も少ないという利点を有していることから、種々の形態のものが開発されている。そして、商用電圧用の一般的な電球用口金を使用する発光ダイオードを組み込んだ電球として、従来、電球用口金の内部に複数の砲弾型発光ダイオードを並べた基板と、電圧・電流調整回路等を組み込んだ基板とを配置し、電球口金の開口にボール状の樹脂カバーを装着して構成したものが提案されている。(特許文献１)
【特許文献１】特開２００３‐１５１３０６公報
【発明の開示】
【発明が解決しようとする課題】
【０００３】
近年、照明に多様性が求められ、指向性を持って照明できるような照明具が求められてきた。
ところが、前記従来の発光ダイオードを組み込んだ電球は、白熱電球や蛍光灯に変わって仕様できるようにしたもので、全方向を均等に照明できるようにしていることから、このものでは、器具側で照射方向を規制するようにしなければならず、照明設備として大きくなるという問題がある。また。電球のバルブ内に遮光体を設置して、照射方向に指向性を持たせることも考えられるが、この場合、照明電球を器具に設置した際にその照射方向を調整することができないため、器具の配設が面倒になるという問題があった。
【０００４】
本発明は、このような点に着目してなされたもので、照射方向に指向性を有し、その照射方向の調整を容易に行うことのできるＬＥＤ照明電球を提供することを目的とする。
【課題を解決するための手段】
【０００５】
上述の目的を達成するために本発明は、ハウジングを電球用口金が装着されているボディ部と、このボティ部に揺動回転可能に装着されているリング部と、リング部と一体になって揺動回転する透光性キャップ部とで構成し、複数の発光ダイオードを配置している基板を前記リング部に固定支持することにより、基板をボディ部に対して相対回転揺動可能に構成し、前記基板に複数の発光ダイオードを照射光量が多い方向と照射光量が少ない方向とが混在する状態に配設することによりＬＥＤ照明電球として照射方向性を持たせるように構成したことを特徴としている。
【発明の効果】
【０００６】
本発明は、商用電源に接続されている電球ソケットにこのＬＥＤ照明電球を螺着することで、ＬＥＤ照明電球に電力を供給することができ、かつ、照射光軸を方向性を持たせた状態に発光ダイオードを配置した基板を固定しているリング部材が、電球用口金を固定しているボディ部に対して揺動可能に組み付けてあることから、電球ソケットにＬＥＤ照明電球を螺着結合させた後でも、確実に照射方向を調整することができることになる。
【発明を実施するための最良の形態】
【０００７】
図は、本発明の実施形態を示し、図１は全体を分解した状態で右半分を縦断した断面図、図２はハウジング部分の分解斜視図である。
このＬＥＤ照明電球は、複数の発光ダイオード(１)を並べて配置した基板(２)と、この基板(２)を収容しているハウジング(３)と、このハウジング(３)に固定した電球用口金(４)とを具備して構成してある。
【０００８】
ハウジング(３)は、前記電球用口金(４)が装着されているボディ部(５)と、このボティ部(５)に揺動回転可能に装着されているリング部(６)と、リング部(６)と一体になって揺動回転する透光性キャップ部(７)とで構成してある。
【０００９】
下端部に電球用口金(４)を固着するボディ部(５)は、その上半部分の外周面に小突起(８)が周方向に一定ピッチで突設してあり、ボディ部(５)の上部内周面からボディ部上端面を超える状態で位置決め突出片(９)が突出形成してある。
【００１０】
リング部(６)は、前記ボティ部(５)に形成した小突起(８)の下面に抜止め状に嵌り合う係合片(10)をその下端部に形成するとともに、周方向に並ぶ前記小突起(８)同士間の空隙に嵌り合う係合突起(11)を内周面の下端部に一定間隔隔てて配置することにより、リング部(６)を前記ボディ部(５)に相対回転を抑制するように構成してある。また、リング部(６)の上端部分には、その内周方向に突出する基板載置台(12)と回転規制片(13)とが形成してある。なお、基板載置台(12)の内周面からの突出量は前記ボディ部(５)から突出している位置決め突出片(９)とは干渉しない長さに形成してあり、回転規制片(13)の突出量は前記ボディ部(５)から突出している位置決め突出片(９)と側面同士で当接する長さに形成してある。
【００１１】
透光性キャップ部(７)は、ポリカーボネート樹脂でドーム状に形成してあり、リング部(６)の上端縁部分外周に形成した嵌合縁部(14)に嵌着固定されるようにしてある。
【００１２】
基板(２)は、その上面に複数(例えば１２個)の発光ダイオード(１)を配置するとともに、その下面に整流回路(15)やコンデンサ(16)、あるいは抵抗(17)等を配置してＬＥＤ制御回路を形成し、この基板(２)の下面に位置する入力端子とボディ部(５)に固着した電球用口金(４)の下側突底部(18)および側面ねじ部(19)とに図示を省略したリード線で接続している。 
【００１３】
図３は、たとえば寺院等の軒先に吊り下げられる提灯や吊下灯籠の光源として使用されるＬＥＤ照明電球での発光ダイオード(１)の配列パターンを示し、基板(２)の上面に配置した１２個の発光ダイオード(１)は、その１２個の発光ダイオード(１)の内の１０個の発光ダイオード(１ａ)が前面側を、残りの２個の発光ダイオード(１ｂ)が背面側をそれぞれ照射するように配置してある。そして、前面側を照射する１０個の発光ダイオード(１ａ)はそれぞれ光軸が１０度程度上向きとなる姿勢に配置してあり、背面側を照射するように配置した２個の発光ダイオード(１ｂ)は、それぞれ光軸が４５度程度上向きとなる姿勢に配置してある。
【００１４】
また、前面側を照射するように配置した１０個の発光ダイオード(１ａ)は、前面側を一定角度範囲で照射できるように中央部分に配置した４個の発光ダイオードが、その光軸を平面視で前面方向に向かうように、残りの６個の発光ダイオードが３個づつ左右に配置され、それぞれの光軸は、平面視で前面方向に対して４５度の開き角度となるように配置してある。なお、背面側に向けて配置した２個の発光ダイオード(１ｂ)光軸は平面視でそれぞれ背面に向かうように配置してある。
【００１５】
発光ダイオード(１)をこのように配置したＬＥＤ照明電球では、正面側(前面)が背面側に比べて格段に明るく照明されることになるから、軒下等に取り下げられた提灯の光源として使用した場合には、建物側に背面側を位置させることにより、同じ電力で有効な照明を行えることになる。
【００１６】
図４は、たとえば置灯籠や立灯籠の光源としてとして使用するＬＥＤ照明電球での発光ダイオード(１)の配列パターンを示し、発光ダイオード(１)を基板(２)に配置したもので、これは、基板(２)上に想定した仮想正方形の各辺部分にそれぞれ２個づづの発光ダイオード(１ｃ)を配置するとともに、仮想正方形の各コーナー部にそれぞれ１個の発光ダイオード(１ｄ)を配置したもので、仮想正方形の各辺部分に配置した発光ダイオード(１ｃ)の光軸は平面視で該辺に対して直交する方向を指し、正面視で２０度程度上向きとなる方向を指す姿勢に配置してあり、コーナー部に配置した各発光ダイオード(１ｄ)の光軸は平面視で対角方向を指し、正面視で２０度程度上向きとなる方向を指す姿勢に配置してある。
【００１７】
１２個の発光ダイオード(１)をこのように配置した場合には、四方に窓が形成されている灯籠の火袋内に仮想正方形の各辺が対抗する状態にＬＥＤ照明電球を設置することにより、窓を通して四方に大量の光量を供給することができる。
【００１８】
なお、上記両実施態様で各発光ダイオード(１)の光軸を斜め上向きに設定しているのは、発光ダイオード(１)が指向性(１５〜５０度)を有していることからこの指向性の範囲内で上向に配置することにより、基板(１)の表面よりも前側を照射することができることになるからである。
【００１９】
そして、上述のように、照明に指向性を必要とする場合、このＬＥＤ照明用電球は、電球用口金(４)が固定されているボディ部(５)に対して相対回転可能に組みつけたリング部(６)に、発光ダイオード(１)が所定の姿勢で取り付けられている基板(２)が固定してあることから、ＬＥＤ照明用電球を器具側のソケットに電球用口金(４)を螺合して連結したのち、リング部(６)をボディ部(５)に対して回転させることにより、基板(２)に取り付けられている発光ダイオード(１)の主照射方向を任意の方向に調整する。
【産業上の利用可能性】
【００２０】
本発明にかかるＬＥＤ照明用電球は、前記したように、壁面に近接して配置した提灯や吊るし灯籠の光源や、置き灯籠や立灯籠の光源等、照射方向に指向性を持たせたい個所に配置する。
【図面の簡単な説明】
【００２１】
【図１】一実施形態を示す全体を分解した状態で右半分を縦断した断面図である。
【図２】一実施形態を示すハウジング部分の分解斜視図である。
【図３】発光ダイオードの配列パターンの一例を示す平面図である。
【図４】発光ダイオードの異なる配列パターンを示す平面図である。
【符号の説明】
【００２２】
１…発光ダイオード、２…基板、４…電球用口金、３…ハウジング、５…ボディ部、６…リング部、７…透光性キャップ部。
【図１】
2006310207.tif 000003
【図２】
2006310207.tif 000004
【図３】
2006310207.tif 000005
【図４】
2006310207.tif 000006